(57)【特許請求の範囲】
【請求項１】
温水を供給自在な熱源機と、その熱源機から供給される温水にて浴室内に供給する暖房用流体を加熱させる暖房用熱交換器とを備えている浴室暖房システムであって、
上流端が前記暖房用熱交換器に接続され、且つ、下流端が前記浴室内の浴槽に接続されている流路に設けられた混合弁を介して前記暖房用熱交換器を通過した温水に水を混合自在として、前記暖房用熱交換器を通過した温水を前記浴室の浴槽に供給する温水供給手段と、
前記流路において前記混合弁の下流側に、前記浴室内の浴槽に供給する温水の温度を検出する温度センサと、
前記浴槽への湯張りを指令する湯張り指令手段と、
その湯張り指令手段にて湯張りが指令された場合に、前記熱源機から前記暖房用熱交換器に高温設定温度の温水を供給するように前記熱源機の作動を制御するとともに、前記温度センサの検出温度が目標設定温度となるように前記混合弁の開度を調整して、前記暖房用熱交換器を通過した温水に水を混合し、当該水が混合された温水を前記浴槽に供給するように前記温水供給手段の作動を制御する湯張り・予熱運転を行う運転制御手段とを備えている浴室暖房システム。
【請求項２】
前記運転制御手段は、前記湯張り・予熱運転中に、前記暖房用熱交換器を通過した温水の温度が予熱完了設定温度以上となった場合に、前記熱源機から前記暖房用熱交換器に供給する温水の温度を前記高温設定温度よりも低下側の低温設定温度に変更させるように前記熱源機の作動を制御している請求項１に記載の浴室暖房システム。
【請求項３】
前記温水供給手段は、前記暖房用熱交換器を通過した温水に水を混合自在として、前記暖房用熱交換器を通過した温水を給湯利用箇所に供給自在に構成されている請求項１又は２に記載の浴室暖房システム。
【請求項４】
前記暖房用熱交換器を通過した温水を前記浴槽以外の給湯利用箇所に供給する温水供給状態と、前記暖房用熱交換器を通過した温水の一部を前記浴槽及び前記給湯利用箇所の少なくとも一方に供給するとともに、残りの一部を前記熱源機に戻す一部循環状態と、前記暖房用熱交換器を通過した温水の全部を前記熱源機に戻す全部循環状態とに切換自在な切換手段を備えている請求項１〜３の何れか１項に記載の浴室暖房システム。
【請求項５】
前記温水供給手段にて前記浴槽以外の給湯利用箇所に供給する温水に追加させて、前記給湯利用箇所に温水を供給自在な追加熱源機を備えている請求項１〜４の何れか１項に記載の浴室暖房システム。
【請求項６】
温水を供給自在な熱源機と、その熱源機から供給される温水にて浴室内に供給する暖房用流体を加熱させる暖房用熱交換器とを備えている浴室暖房システムであって、
前記暖房用熱交換器を通過した温水に水を混合自在として、前記暖房用熱交換器を通過した温水を前記浴室の浴槽に供給する温水供給手段と、
前記浴槽への湯張りを指令する湯張り指令手段と、
その湯張り指令手段にて湯張りが指令された場合に、前記熱源機から前記暖房用熱交換器に高温設定温度の温水を供給するように前記熱源機の作動を制御するとともに、前記暖房用熱交換器を通過した温水に水を混合させて前記浴槽に目標設定温度の温水を供給するように前記温水供給手段の作動を制御する湯張り・予熱運転を行う運転制御手段とを備え、
前記運転制御手段は、前記湯張り・予熱運転中に、前記暖房用熱交換器を通過した温水の温度が予熱完了設定温度以上となった場合に、前記熱源機から前記暖房用熱交換器に供給する温水の温度を前記高温設定温度よりも低下側の低温設定温度に変更させるように前記熱源機の作動を制御している浴室暖房システム。
【請求項７】
温水を供給自在な熱源機と、その熱源機から供給される温水にて浴室内に供給する暖房用流体を加熱させる暖房用熱交換器とを備えている浴室暖房システムであって、
前記暖房用熱交換器を通過した温水に水を混合自在として、前記暖房用熱交換器を通過した温水を前記浴室の浴槽に供給する温水供給手段と、
前記暖房用熱交換器を通過した温水を前記浴槽以外の給湯利用箇所に供給する温水供給状態と、前記暖房用熱交換器を通過した温水の一部を前記浴槽及び前記給湯利用箇所の少なくとも一方に供給するとともに、残りの一部を前記熱源機に戻す一部循環状態と、前記暖房用熱交換器を通過した温水の全部を前記熱源機に戻す全部循環状態とに切換自在な切換手段と、を備えている浴室暖房システム。
【発明の詳細な説明】
【技術分野】
【０００１】
本発明は、温水を供給自在な熱源機と、その熱源機から供給される温水にて浴室内に供給する暖房用流体を加熱させる暖房用熱交換器とを備えている浴室暖房システムに関する。
【背景技術】
【０００２】
上記のような浴室暖房システムとして、従来、暖房用熱交換器にて加熱する暖房用流体を、送風ファンにて通風される空気や給水路から給水される水としており、暖房用熱交換器にてその空気や水を加熱することで、浴室内に温風を通風させる浴室暖房や浴室内に温水ミストを噴出させるミスト浴を行うものが知られている（例えば、特許文献１参照。）。
この特許文献１に記載のシステムでは、暖房用熱交換器として、送風ファンにて通風される空気を加熱して温風を生成するための温風用熱交換器と、給水路にて供給される水を加熱して温水ミスト用の温水を生成するためのミスト用熱交換器とを備えている。そして、温風用熱交換器にて所望温度の温風を生成するとともに、ミスト用熱交換器にて所望温度の温水を生成するために、熱源機から高温の温水（例えば、８０℃）を温風用熱交換器やミスト用熱交換器に供給している。
【０００３】
一方で、上記のような浴室暖房システムとは別に、浴室内の浴槽に温水を供給して浴槽の湯張りを行うための熱源機として、給湯器が設けられており、この給湯器から湯張り用目標設定温度（例えば、４０℃程度）の温水を浴槽に供給して浴槽の湯張りを行っている。
【０００４】
使用者が浴室暖房やミスト浴を行って入浴する場合には、一方で、給湯器から湯張り用目標設定温度（例えば、４０℃程度）の温水を浴槽に供給して浴槽の湯張りを行い、他方で、浴室暖房システムにより熱源機から高温の温水（例えば、８０℃）の温水を暖房用熱交換器に供給して浴室暖房やミスト浴を行うようにしている。
【先行技術文献】
【特許文献】
【０００５】
【特許文献１】特開２００６−６８１３０号公報
【発明の概要】
【発明が解決しようとする課題】
【０００６】
上記特許文献１に記載のシステムでは、暖房用熱交換器にて空気を加熱することで浴室内に温風を通風させる、或いは、暖房用熱交換器にて水を加熱することで浴室内に温水ミストを噴出させている。しかしながら、例えば、冬季等においては、暖房用熱交換器が冷えていることから、使用者の体感や快適感という点から、温風吹き出しの立ち上がり性能や、どれくらいの時間で所望温度の温水ミストを噴出できるかのミスト浴の立ち上がり性能が悪くなるという問題があった。
【０００７】
そこで、例えば、使用者のスイッチ操作等によって、入浴する一定時間前に熱源機から暖房用熱交換器に温水を供給する等の予熱運転を行うことで、暖房用熱交換器を予め温めておくことが考えられる。しかしながら、この場合には、使用者に対して、入浴する一定時間前にスイッチ操作を行うという煩わしい操作を求めることになり、使用者にとっては不便なものとなる可能性がある。また、使用者がスイッチ操作を忘れることもあり、結局、温風吹き出しの立ち上がり性能やミスト浴の立ち上がり性能が悪くなるという問題の解消は困難となっていた。
【０００８】
本発明は、かかる点に着目してなされたものであり、その目的は、使用者に対して煩わしい操作を求めることなく、温風吹き出しの立ち上がり性能やミスト浴の立ち上がり性能の向上を図り、使用者の体感や快適性を満足させることができる浴室暖房システムを提供する点にある。
【課題を解決するための手段】
【０００９】
この目的を達成するために、本発明に係る浴室暖房システムの特徴構成は、温水を供給自在な熱源機と、その熱源機から供給される温水にて浴室内に供給する暖房用流体を加熱させる暖房用熱交換器とを備えている浴室暖房システムにおいて、
上流端が前記暖房用熱交換器に接続され、且つ、下流端が前記浴室内の浴槽に接続されている流路に設けられた混合弁を介して前記暖房用熱交換器を通過した温水に水を混合自在として、前記暖房用熱交換器を通過した温水を前記浴室の浴槽に供給する温水供給手段と、
前記流路において前記混合弁の下流側に、前記浴室内の浴槽に供給する温水の温度を検出する温度センサと、
前記浴槽への湯張りを指令する湯張り指令手段と、
その湯張り指令手段にて湯張りが指令された場合に、前記熱源機から前記暖房用熱交換器に高温設定温度の温水を供給するように前記熱源機の作動を制御するとともに、前記温度センサの検出温度が目標設定温度となるように前記混合弁の開度を調整して、前記暖房用熱交換器を通過した温水に水を混合し、当該水が混合された温水を前記浴槽に供給するように前記温水供給手段の作動を制御する湯張り・予熱運転を行う運転制御手段とを備えている点にある。
【００１０】
本特徴構成によれば、熱源機から暖房用熱交換器に供給される温水は、暖房用熱交換器を通過することで温度が低下されるので、温水供給手段は、暖房用熱交換器を通過した温水に対して水を混合させて、更に温度が低下された温水を浴槽に供給することができる。したがって、例えば、熱源機から暖房用熱交換器に高温の温水を供給しても、温水供給手段が、暖房用熱交換器を通過した温水に水を混合させることで、湯張りに適した所望温度まで温水の温度を低下させて温水を浴槽に供給することができる。そして、熱源機から暖房用熱交換器に高温の温水を供給することで、暖房用熱交換器を温めることができるとともに、湯張りに適した所望温度まで温度が低下された温水を浴槽に供給して浴槽の湯張りを行うことができる。このように、暖房用熱交換器を温めながら、浴槽への湯張りを行うことができるので、例えば、冬季等、暖房用熱交換器が冷えている場合でも、浴槽への湯張りを指令するという操作を使用者が行うだけで、暖房用熱交換器の予熱と浴槽への湯張りの両者を行うことができる。そして、浴槽への湯張りを行った後、使用者が入浴するときには、暖房用熱交換器が温められており、浴室暖房やミスト浴の運転の当初から所望温度の温風や温水ミストを浴室に供給することができる。
【００１１】
以上のことから、使用者に対して煩わしい操作を求めることなく、浴槽への湯張りを行うという適切なタイミングで暖房用熱交換器を予熱して、温風吹き出しの立ち上がり性能やミスト浴の立ち上がり性能の向上を図り、使用者の体感や快適性を満足させることができる。
【００１３】
加えて、本特徴構成によれば、使用者が湯張り指令手段にて湯張りを指令することで、運転制御手段が湯張り・予熱運転を行い、熱源機から高温設定温度の温水を暖房用熱交換器に供給して、暖房用熱交換器を適切に温めることができるとともに、目標設定温度の温水を浴槽に供給して浴槽の湯張りを適切に行うことができる。したがって、使用者に対して煩わしい操作を求めることなく、暖房用熱交換器の予熱と浴槽への湯張りの両者を適切に行うことができる。
【００１４】
本発明に係る浴室暖房システムの更なる特徴構成は、前記運転制御手段は、前記湯張り・予熱運転中に、前記暖房用熱交換器を通過した温水の温度が予熱完了設定温度以上となった場合に、前記熱源機から前記暖房用熱交換器に供給する温水の温度を前記高温設定温度よりも低下側の低温設定温度に変更させるように前記熱源機の作動を制御している点にある。
【００１５】
運転制御手段が湯張り・予熱運転を行うことで、暖房用熱交換器の予熱を行うことができるのであるが、暖房用熱交換器が十分に温められて予熱が完了すると、暖房用熱交換器を通過した温水の温度が低下しなくなる。したがって、温水供給手段にて暖房用熱交換器を通過した温水に水を混合させても、目標設定温度まで温水の温度が低下しなくなる可能性が生じる。
そこで、本特徴構成によれば、暖房用熱交換器を通過した温水の温度が予熱完了設定温度以上となった場合に、運転制御手段が、熱源機から暖房用熱交換器に供給する温水の温度を高温設定温度よりも低下側の低温設定温度に変更させているので、暖房用熱交換器を通過した温水の温度を低下させることができる。したがって、温水供給手段にて暖房用熱交換器を通過した温水に水を混合させることで、目標設定温度まで温水の温度を低下させることができ、暖房用熱交換器の予熱が完了した後においても、目標設定温度の温水を浴槽に供給して浴槽の湯張りを適切に行うことができる。
【００１６】
本発明に係る浴室暖房システムの更なる特徴構成は、前記温水供給手段は、前記暖房用熱交換器を通過した温水に水を混合自在として、前記暖房用熱交換器を通過した温水を前記浴槽以外の給湯利用箇所に供給自在に構成されている点にある。
【００１７】
本特徴構成によれば、温水供給手段が、暖房用熱交換器を通過した温水に水を混合させた温水を、浴槽だけではなく、例えば、浴室に備えられる給湯栓やシャワー等の給湯利用箇所にも供給することができる。したがって、熱源機から暖房用熱交換器に供給する温水を有効に活用して、浴槽への湯張りだけでなく、給湯をも行うことができる。また、給湯栓やシャワー等の給湯利用箇所に温水を供給するために、別途、熱源機を備える必要もなく、構成の簡素化を図ることができる。
【００１８】
本発明に係る浴室暖房システムの更なる特徴構成は、前記暖房用熱交換器を通過した温水を前記給湯利用箇所に供給する温水供給状態と、前記暖房用熱交換器を通過した温水の一部を前記浴槽及び前記浴槽以外の給湯利用箇所の少なくとも一方に供給するとともに、残りの一部を前記熱源機に戻す一部循環状態と、前記暖房用熱交換器を通過した温水の全部を前記熱源機に戻す全部循環状態とに切換自在な切換手段を備えている点にある。
【００１９】
本特徴構成によれば、切換手段が温水供給状態に切り換えることで、給湯利用箇所に給湯することができる。また、切換手段が一部循環状態に切り換えることで、熱源機から暖房用熱交換器に温水を循環供給しながら、浴槽や給湯利用箇所への温水供給も行うことができる。したがって、切換手段が一部循環状態に切り換えることで、暖房用熱交換器の予熱と浴槽への湯張りとの両者を行えるだけでなく、暖房用熱交換器において温風や温水ミスト用の温水を生成して浴室暖房やミスト浴を行うことと、給湯利用箇所への給湯との両者も行うことができる。切換手段が全部循環状態に切り換えることで、暖房用熱交換器において温風や温水ミスト用の温水を生成して浴室暖房やミスト浴を行うことができる。このように、切換手段を温水供給状態と一部循環状態と全部循環状態との何れかに切り換えることで、給湯利用箇所への給湯、及び、浴室暖房やミスト浴を併行して行うことができながら、給湯利用箇所への給湯、及び、浴室暖房やミスト浴を単独で行う場合にも適切に対応することができる。
【００２０】
本発明に係る浴室暖房システムの更なる特徴構成は、前記温水供給手段にて前記浴槽以外の給湯利用箇所に供給する温水に追加させて、前記給湯利用箇所に温水を供給自在な追加熱源機を備えている点にある。
【００２１】
本特徴構成によれば、追加熱源機からの温水を、温水供給手段にて供給する温水に追加させて給湯利用箇所に供給することができるので、給湯利用箇所にて要求されている給湯量が多量である場合にも、その要求を満足することができる。
本発明に係る浴室暖房システムの更なる特徴構成は、温水を供給自在な熱源機と、その熱源機から供給される温水にて浴室内に供給する暖房用流体を加熱させる暖房用熱交換器とを備えている浴室暖房システムであって、
前記暖房用熱交換器を通過した温水に水を混合自在として、前記暖房用熱交換器を通過した温水を前記浴室の浴槽に供給する温水供給手段と、
前記浴槽への湯張りを指令する湯張り指令手段と、
その湯張り指令手段にて湯張りが指令された場合に、前記熱源機から前記暖房用熱交換器に高温設定温度の温水を供給するように前記熱源機の作動を制御するとともに、前記暖房用熱交換器を通過した温水に水を混合させて前記浴槽に目標設定温度の温水を供給するように前記温水供給手段の作動を制御する湯張り・予熱運転を行う運転制御手段とを備え、
前記運転制御手段は、前記湯張り・予熱運転中に、前記暖房用熱交換器を通過した温水の温度が予熱完了設定温度以上となった場合に、前記熱源機から前記暖房用熱交換器に供給する温水の温度を前記高温設定温度よりも低下側の低温設定温度に変更させるように前記熱源機の作動を制御している点にある。
本特徴構成によれば熱源機から暖房用熱交換器に供給される温水は、暖房用熱交換器を通過することで温度が低下されるので、温水供給手段は、暖房用熱交換器を通過した温水に対して水を混合させて、更に温度が低下された温水を浴槽に供給することができる。したがって、例えば、熱源機から暖房用熱交換器に高温の温水を供給しても、温水供給手段が、暖房用熱交換器を通過した温水に水を混合させることで、湯張りに適した所望温度まで温水の温度を低下させて温水を浴槽に供給することができる。そして、熱源機から暖房用熱交換器に高温の温水を供給することで、暖房用熱交換器を温めることができるとともに、湯張りに適した所望温度まで温度が低下された温水を浴槽に供給して浴槽の湯張りを行うことができる。このように、暖房用熱交換器を温めながら、浴槽への湯張りを行うことができるので、例えば、冬季等、暖房用熱交換器が冷えている場合でも、浴槽への湯張りを指令するという操作を使用者が行うだけで、暖房用熱交換器の予熱と浴槽への湯張りの両者を行うことができる。そして、浴槽への湯張りを行った後、使用者が入浴するときには、暖房用熱交換器が温められており、浴室暖房やミスト浴の運転の当初から所望温度の温風や温水ミストを浴室に供給することができる。
加えて、本特徴構成によれば、使用者が湯張り指令手段にて湯張りを指令することで、運転制御手段が湯張り・予熱運転を行い、熱源機から高温設定温度の温水を暖房用熱交換器に供給して、暖房用熱交換器を適切に温めることができるとともに、目標設定温度の温水を浴槽に供給して浴槽の湯張りを適切に行うことができる。したがって、使用者に対して煩わしい操作を求めることなく、暖房用熱交換器の予熱と浴槽への湯張りの両者を適切に行うことができる。
また、運転制御手段が湯張り・予熱運転を行うことで、暖房用熱交換器の予熱を行うことができるのであるが、暖房用熱交換器が十分に温められて予熱が完了すると、暖房用熱交換器を通過した温水の温度が低下しなくなる。したがって、温水供給手段にて暖房用熱交換器を通過した温水に水を混合させても、目標設定温度まで温水の温度が低下しなくなる可能性が生じる。
そこで、本特徴構成によれば、暖房用熱交換器を通過した温水の温度が予熱完了設定温度以上となった場合に、運転制御手段が、熱源機から暖房用熱交換器に供給する温水の温度を高温設定温度よりも低下側の低温設定温度に変更させているので、暖房用熱交換器を通過した温水の温度を低下させることができる。したがって、温水供給手段にて暖房用熱交換器を通過した温水に水を混合させることで、目標設定温度まで温水の温度を低下させることができ、暖房用熱交換器の予熱が完了した後においても、目標設定温度の温水を浴槽に供給して浴槽の湯張りを適切に行うことができる。
本発明に係る浴室暖房システムの更なる特徴構成は、温水を供給自在な熱源機と、その熱源機から供給される温水にて浴室内に供給する暖房用流体を加熱させる暖房用熱交換器とを備えている浴室暖房システムであって、
前記暖房用熱交換器を通過した温水に水を混合自在として、前記暖房用熱交換器を通過した温水を前記浴室の浴槽に供給する温水供給手段と、
前記暖房用熱交換器を通過した温水を前記浴槽以外の給湯利用箇所に供給する温水供給状態と、前記暖房用熱交換器を通過した温水の一部を前記浴槽及び前記給湯利用箇所の少なくとも一方に供給するとともに、残りの一部を前記熱源機に戻す一部循環状態と、前記暖房用熱交換器を通過した温水の全部を前記熱源機に戻す全部循環状態とに切換自在な切換手段と、を備えている点にある。
本特徴構成によれば、熱源機から暖房用熱交換器に供給される温水は、暖房用熱交換器を通過することで温度が低下されるので、温水供給手段は、暖房用熱交換器を通過した温水に対して水を混合させて、更に温度が低下された温水を浴槽に供給することができる。したがって、例えば、熱源機から暖房用熱交換器に高温の温水を供給しても、温水供給手段が、暖房用熱交換器を通過した温水に水を混合させることで、湯張りに適した所望温度まで温水の温度を低下させて温水を浴槽に供給することができる。そして、熱源機から暖房用熱交換器に高温の温水を供給することで、暖房用熱交換器を温めることができるとともに、湯張りに適した所望温度まで温度が低下された温水を浴槽に供給して浴槽の湯張りを行うことができる。このように、暖房用熱交換器を温めながら、浴槽への湯張りを行うことができるので、例えば、冬季等、暖房用熱交換器が冷えている場合でも、浴槽への湯張りを指令するという操作を使用者が行うだけで、暖房用熱交換器の予熱と浴槽への湯張りの両者を行うことができる。そして、浴槽への湯張りを行った後、使用者が入浴するときには、暖房用熱交換器が温められており、浴室暖房やミスト浴の運転の当初から所望温度の温風や温水ミストを浴室に供給することができる。
また、本特徴構成によれば、切換手段が温水供給状態に切り換えることで、給湯利用箇所に給湯することができる。また、切換手段が一部循環状態に切り換えることで、熱源機から暖房用熱交換器に温水を循環供給しながら、浴槽や給湯利用箇所への温水供給も行うことができる。したがって、切換手段が一部循環状態に切り換えることで、暖房用熱交換器の予熱と浴槽への湯張りとの両者を行えるだけでなく、暖房用熱交換器において温風や温水ミスト用の温水を生成して浴室暖房やミスト浴を行うことと、給湯利用箇所への給湯との両者も行うことができる。切換手段が全部循環状態に切り換えることで、暖房用熱交換器において温風や温水ミスト用の温水を生成して浴室暖房やミスト浴を行うことができる。このように、切換手段を温水供給状態と一部循環状態と全部循環状態との何れかに切り換えることで、給湯利用箇所への給湯、及び、浴室暖房やミスト浴を併行して行うことができながら、給湯利用箇所への給湯、及び、浴室暖房やミスト浴を単独で行う場合にも適切に対応することができる。
【図面の簡単な説明】
【００２２】
【図１】浴室暖房システムの概略構成において湯張り・予熱運転の状態を示す図
【図２】浴室暖房システムの概略構成において浴室暖房運転の状態を示す図
【図３】浴室暖房システムの概略構成において給湯運転の状態を示す図
【図４】浴室暖房システムの概略構成において浴室暖房運転と給湯運転との併行運転の状態を示す図
【図５】湯張り・予熱運転における動作を示すフローチャート
【図６】第２実施形態における浴室暖房システムの概略構成を示す図
【図７】第３実施形態における浴室暖房システムの概略構成を示す図
【発明を実施するための形態】
【００２３】
本発明に係る浴室暖房システムの実施形態について図面に基づいて説明する。
〔第１実施形態〕
第１実施形態の浴室暖房システムは、図１〜図４に示すように、温水を供給自在な熱源機１と、熱源機１から供給される温水にて空気を加熱して浴室２内に供給する温風Ａを生成させる暖房用熱交換器３と、湯張り用目標設定温度の設定や各種の運転の指令等を行うリモコン４と、浴室暖房システムの運転を制御する運転制御装置５（運転制御手段に相当する）とを備えている。図１〜図４の夫々は、浴室暖房システムの概略構成を示すものであり、温水及び水が通流する部位を太線にて示している。
【００２４】
熱源機１は、図示は省略するが、バーナ等の加熱装置を備えており、その加熱装置にて熱源機１に戻される湯水や給水される水を加熱して生成した温水を外部に供給自在に構成されている。熱源機１は、加熱装置の加熱量を調整することで、供給する温水の温度を調整自在に構成されている。
暖房用熱交換器３は、送風ファン６にて通風される空気を加熱して温風Ａを生成しており、その生成された温風Ａを天井等から浴室２内に通風している。
【００２５】
温水が通流する温水流路Ｒは、熱源機１からの温水を暖房用熱交換器３に供給する第１流路部位Ｒ１と、暖房用熱交換器３を通過した温水を浴室２内の浴槽７に供給する第２流路部位Ｒ２と、暖房用熱交換器３を通過した温水を熱源機１に戻す第３流路部位Ｒ３と、暖房用熱交換器３を通過した温水を給湯利用箇所８（例えば、浴室２内の給湯栓）に供給する第４流路部位Ｒ４とを備えて構成されている。
【００２６】
第１流路部位Ｒ１は、上流側端部が熱源機１に接続され且つ下流側端部が暖房用熱交換器３に接続されている。第２流路部位Ｒ２は、上流側端部が暖房用熱交換器３に接続され且つ下流側端部が浴槽７に接続されている。第３流路部位Ｒ３は、上流側端部が第２流路部位Ｒ２の途中部位に接続され且つ下流側端部が熱源機１に接続されている。第４流路部位Ｒ４は、上流側端部が第２流路部位Ｒ２において第３流路部位Ｒ３との接続箇所よりも下流側部位に接続され且つ下流側端部が給湯利用箇所８に接続されている。
【００２７】
第２流路部位Ｒ２には、上流側から順に、第３流路部位Ｒ３との接続箇所、第２流路部位Ｒ２を開閉する第１開閉弁Ｋ１、暖房用熱交換器３を通過した温水の温度を検出する第１温度センサＴ１、第４流路部位Ｒ４との接続箇所、第２流路部位Ｒ２の温水に第１給水路Ｑ１からの水を混合させる第１混合弁Ｍ１、浴槽７に供給する温水の温度を検出する第２温度センサＴ２が備えられている。第３流路部位Ｒ３の途中部位には、第３流路部位Ｒ３を開閉する第２開閉弁Ｋ２が備えられている。第４流路部位Ｒ４には、上流側から順に、第４流路部位Ｒ４の温水に第２給水路Ｑ２からの水を混合させる第２混合弁Ｍ２、給湯利用箇所８に供給する温水の温度を検出する第３温度センサＴ３が備えられている。
【００２８】
本実施形態の浴室暖房システムでは、熱源機１からの温水を暖房用熱交換器３に供給して温風Ａを生成し、その温風Ａを浴室２内に通風して浴室暖房を行うが、例えば、冬季等においては、暖房用熱交換器３が冷えていて、温風吹き出しの立ち上がり性能が悪くなる場合がある。そこで、本実施形態の浴室暖房システムでは、浴槽７に湯張りを行うタイミングを利用して、暖房用熱交換器３を予め温めておくために、暖房用熱交換器３を通過した温水に水を混合自在として、暖房用熱交換器３を通過した温水を浴室２の浴槽７に供給する温水供給手段９を備えている。
【００２９】
温水供給手段９は、温水流路Ｒの第２流路部位Ｒ２と第１給水路Ｑ１と第１混合弁Ｍ１を備えており、暖房用熱交換器３を通過した温水を第２流路部位Ｒ２にて通流させ、その第２流路部位Ｒ２を通流する温水に第１給水路Ｑ１からの水を第１混合弁Ｍ１により混合させ、その混合後の温水を浴槽７に供給するようにしている。
温水供給手段９は、第２流路部位Ｒ２と第１給水路Ｑ１と第１混合弁Ｍ１に加えて、第４流路部位Ｒ４と第２給水路Ｑ２と第２混合弁Ｍ２を備えており、暖房用熱交換器３を通過した温水に水を混合自在として、暖房用熱交換器３を通過した温水を給湯利用箇所８にも供給自在に構成されている。温水供給手段９は、暖房用熱交換器３を通過した温水を第２流路部位Ｒ２から第４流路部位Ｒ４に流入させ、その第４流路部位Ｒ４を通流する温水に第２給水路Ｑ２からの水を第２混合弁Ｍ２により混合させ、その混合後の温水を給湯利用箇所８に供給するようにしている。
【００３０】
暖房用熱交換器３を通過した温水の供給先については、浴槽７だけでなく、給湯利用箇所８にも供給できるようになっており、更に、第３流路部位Ｒ３によって熱源機１に戻すこともできるようになっている。そこで、浴室暖房システムには、暖房用熱交換器３を通過した温水の供給先を切り換えるための切換手段１０が備えられており、切換手段１０が、第１開閉弁Ｋ１と第２開閉弁Ｋ２とから構成されている。切換手段１０は、図３の太線にて示す温水供給状態と、図１及び図４の太線にて示す一部循環状態と、図２の太線にて示す全部循環状態とに切換自在に構成されている。温水供給状態では、図３の太線に示すように、切換手段１０が第１開閉弁Ｋ１を開弁させ且つ第２開閉弁Ｋ２を閉弁させて、暖房用熱交換器３を通過した温水を給湯利用箇所８に供給している。一部循環状態として、第１一部循環状態と第２一部循環状態とがある。第１一部循環状態では、図１の太線にて示すように、切換手段１０が第１開閉弁Ｋ１を開弁させ且つ第２開閉弁Ｋ２を開弁させて、暖房用熱交換器３を通過した温水の一部を浴槽７に供給するとともに、残りの一部を熱源機１に戻している。また、第２一部循環状態では、図４の太線に示すように、切換手段１０が第１開閉弁Ｋ１を開弁させ且つ第２開閉弁Ｋ２を開弁させて、暖房用熱交換器３を通過した温水の一部を給湯利用箇所８に供給するとともに、残りの一部を熱源機１に戻している。全部循環状態では、図２の太線に示すように、切換手段１０が第１開閉弁Ｋ１を閉弁させ且つ第２開閉弁Ｋ２を開弁させて、暖房用熱交換器３を通過した温水の全部を熱源機１に戻している。
【００３１】
運転制御装置５は、浴槽７の湯張りを行いながら暖房用熱交換器３の予熱を行う湯張り・予熱運転と、浴室２内に温風Ａを通風させて浴室２内の暖房を行う浴室暖房運転と、給湯利用箇所８に給湯する給湯運転とを実行可能に構成されている。
リモコン４には、図示は省略するが、運転スイッチが備えられており、この運転スイッチがＯＮ操作されることで、運転制御装置５が各種の運転を行うことができるようになっている。リモコン４には、運転スイッチの他に、湯張りスイッチ、浴室暖房スイッチ等の各種の運転を指令するためのスイッチと、浴槽７に供給する温水の湯張り用目標設定温度及び給湯利用箇所８に供給する温水の給湯用目標設定温度の夫々を設定自在な設定部とが備えられている。これにより、リモコン４が、湯張り指令手段として構成されている。
【００３２】
以下、各運転について説明する。
（湯張り・予熱運転）
この湯張り・予熱運転については、図１及び図５のフローチャートに基づいて説明する。
運転制御装置５は、リモコン４の湯張りスイッチがＯＮ操作されて湯張りが指令された場合に、湯張り・予熱運転を行う（ステップ＃１）。湯張り・予熱運転では、運転制御装置５が、熱源機１から暖房用熱交換器３に高温設定温度（例えば８０℃）の温水を供給するように熱源機１の作動を制御する（ステップ＃２）。そして、運転制御装置５は、第１開閉弁Ｋ１を開弁させ且つ第２開閉弁Ｋ２を開弁させて、暖房用熱交換器３を通過した温水の一部を浴槽７に供給するとともに、残りの一部を熱源機１に戻す第１一部循環状態に切換手段１０を切り換えている。
【００３３】
運転制御装置５は、第１温度センサＴ１の検出温度ｔ１が予熱完了設定温度ｔａ以上であると、熱源機１から暖房用熱交換器３に供給する温水の温度を高温設定温度（例えば８０℃）から低温設定温度（例えば６０℃）に変更させるように熱源機１の作動を制御している（ステップ＃３、４）。ここで、予熱完了設定温度ｔａについては、第１混合弁Ｍ１による第１給水路Ｑ１からの給水量を最大とした場合に、浴槽７に供給する温水の温度を湯張り用目標設定温度まで低下させることができる上限温度が予熱完了設定温度ｔａに設定されている。このようにして、運転制御装置５は、湯張り・予熱運転中に、暖房用熱交換器３を通過した温水の温度が予熱完了設定温度以上となった場合に、熱源機１から暖房用熱交換器３に供給する温水の温度を低下側の低温設定温度に変更させている。
【００３４】
運転制御装置５は、第２温度センサＴ２の検出温度ｔ２がリモコン４にて設定された湯張り用目標設定温度ｔｍ以上であれば、第１混合弁Ｍ１による第１給水路Ｑ１からの給水量を増加させるように第１混合弁Ｍ１の開度を調整している（ステップ＃５のＹｅｓの場合、ステップ＃６）。また、運転制御装置５は、逆に、第２温度センサＴ２の検出温度ｔ２が湯張り用目標設定温度ｔｍよりも低ければ、第１混合弁Ｍ１による第１給水路Ｑ１からの給水量を減少させるように第１混合弁Ｍ１の開度を調整している（ステップ＃５のＮｏの場合、ステップ＃７）。このようにして、運転制御装置５は、第２温度センサＴ２の検出温度ｔ２が湯張り用目標設定温度ｔｍとなるように第１混合弁Ｍ１の開度を調整して、湯張り用目標設定温度の温水を浴槽７に供給するように温水供給手段９の作動を制御している。運転制御装置５は、図外の水位センサ等により浴槽７の水位が設定水位に到達すると、湯張り・予熱運転を終了する（ステップ＃８のＹｅｓの場合）。
【００３５】
運転制御装置５がこの湯張り・予熱運転を行うことで、暖房用熱交換器３には、熱源機１から高温設定温度（例えば、８０℃）の温水が供給されるので、暖房用熱交換器３を温めることができる。熱源機１から供給される温水は、暖房用熱交換器３を通過して暖房用熱交換器３を予熱することで温度が低下する。これにより、暖房用熱交換器３に高温設定温度の温水を供給しても、暖房用熱交換器３を通過した温水に第１給水路Ｑ１からの水を第１混合弁Ｍ１にて混合させることで、湯張り用目標設定温度まで温水の温度を低下させることができる。したがって、湯張り用目標設定温度の温水を浴槽７に供給することができ、その浴槽７に湯張りを行うタイミングを利用して、暖房用熱交換器３を予熱することができる。これにより、例えば、冬季等であっても、使用者が入浴するときには、暖房用熱交換器３が温められており、浴室暖房運転の当初から所望温度の温風Ａを通風させることができ、温風吹き出しの立ち上がり性能の向上を図ることができる。
【００３６】
（浴室暖房運転）
この浴室暖房運転については、図２に基づいて説明する。
運転制御装置５は、リモコン４の浴室暖房スイッチがＯＮ操作されて浴室暖房が指令された場合に、浴室暖房運転を行う。浴室暖房運転では、運転制御装置５が、熱源機１から暖房用熱交換器３に高温設定温度（例えば８０℃）の温水を供給するように熱源機１の作動を制御する。そして、運転制御装置５は、第１開閉弁Ｋ１を閉弁させ且つ第２開閉弁Ｋ２を開弁させて、暖房用熱交換器３を通過した温水の全部を熱源機１に戻す全部循環状態に切換手段１０を切り換えている。これにより、第１流路部位Ｒ１と第２流路部位Ｒ２の一部と第３流路部位Ｒ３とによって、熱源機１から暖房用熱交換器３に循環供給させる形態で、高温設定温度の温水を暖房用熱交換器３に供給することができる。また、運転制御装置５は、送風ファン６を作動させており、送風ファン６にて通風される空気を暖房用熱交換器３にて加熱して温風Ａを生成し、その生成された温風Ａを浴室２内に通風させるようにしている。運転制御装置５は、例えば、浴室暖房運転の運転開始から設定時間が経過することで、浴室暖房運転を終了するようにしている。
【００３７】
（給湯運転）
この給湯運転については、図３に基づいて説明する。
運転制御装置５は、リモコン４の運転スイッチがＯＮ操作されている状態において給湯利用箇所８の給湯栓が開操作された場合に、給湯運転を行う。給湯運転では、運転制御装置５が、熱源機１から暖房用熱交換器３に低温設定温度（例えば６０℃）の温水を供給するように熱源機１の作動を制御する。そして、運転制御装置５は、第１開閉弁Ｋ１を開弁させ且つ第２開閉弁Ｋ２を閉弁させて、暖房用熱交換器３を通過した温水を給湯利用箇所８に供給する温水供給状態に切換手段１０を切り換えている。
【００３８】
運転制御装置５は、第３温度センサＴ３の検出温度がリモコン４にて設定された給湯用目標設定温度以上であれば、第２混合弁Ｍ２による第２給水路Ｑ２からの給水量を増加させ、逆に、第３温度センサＴ３の検出温度が給湯用目標設定温度よりも低ければ、第２混合弁Ｍ２による第２給水路Ｑ２からの給水量を減少させるように第２混合弁Ｍ２の開度を調整している。このようにして、運転制御装置５は、第３温度センサＴ３の検出温度が給湯用目標設定温度となるように第２混合弁Ｍ２の開度を調整して、給湯用目標設定温度の温水を給湯利用箇所８に供給するようにしている。
【００３９】
（浴室暖房運転＋給湯運転）
運転制御装置５は、浴室暖房運転と給湯運転とを単独で行うだけでなく、浴室暖房運転と給湯運転とを併行して行うことができるので、図４に基づいて、浴室暖房運転と給湯運転とを併行して行う場合について説明する。
浴室暖房運転と給湯運転とを併行して行う場合については、浴室暖房運転を先に行っているときに給湯運転も加えて行う第１の場合と、給湯運転を先に行っているときに浴室暖房運転も加えて行う第２の場合とがある。
【００４０】
まず、第１の場合について説明する。
運転制御装置５は、浴室暖房運転中に給湯利用箇所８の給湯栓が開操作された場合に、浴室暖房運転を示す図２の状態から、図４に示すように、第１開閉弁Ｋ１を開弁させて、暖房用熱交換器３を通過した温水の一部を給湯利用箇所８に供給するとともに、残りの一部を熱源機１に戻す第２一部循環状態に切換手段１０を切り換えている。この場合、浴室暖房運転を先に行っていることから、熱源機１から暖房用熱交換器３に供給される温水の温度は高温設定温度（例えば８０℃）となっている。運転制御装置５は、第１温度センサＴ１の検出温度ｔ１が併行用上限設定温度以上であると、熱源機１から暖房用熱交換器３に供給する温水の温度を高温設定温度（例えば８０℃）から低温設定温度（例えば６０℃）に変更させるように熱源機１の作動を制御している。ここで、併行用上限設定温度については、第２混合弁Ｍ２による第２給水路Ｑ２からの給水量を最大とした場合に、給湯利用箇所８に供給する温水の温度を給湯用目標設定温度まで低下させることができる上限温度が併行用上限設定温度に設定されている。
【００４１】
次に、第２の場合について説明する。
運転制御装置５は、給湯運転中にリモコン４の浴室暖房スイッチがＯＮ操作されて浴室暖房が指令された場合に、給湯運転を示す図３の状態から、第２開閉弁Ｋ２を開弁させて、暖房用熱交換器３を通過した温水の一部を給湯利用箇所８に供給するとともに、残りの一部を熱源機１に戻す第２一部循環状態に切換手段１０を切り換えている。この場合、給湯運転を先に行っていることから、熱源機１から暖房用熱交換器３に供給される温水の温度は低温設定温度（例えば６０℃）となっている。そこで、運転制御装置５は、熱源機１から暖房用熱交換器３に供給する温水の温度を低温設定温度（例えば６０℃）から高温設定温度（例えば８０℃）に変更させるように熱源機１の作動を制御している。この場合でも、運転制御装置５は、第１温度センサＴ１の検出温度ｔ１が併行用上限設定温度以上であると、熱源機１から暖房用熱交換器３に供給する温水の温度を高温設定温度（例えば８０℃）から低温設定温度（例えば６０℃）に変更させるように熱源機１の作動を制御している。
【００４２】
〔第２実施形態〕
上記第１実施形態では、暖房用熱交換器３を１つ備え、その暖房用熱交換器３において熱源機１から供給される温水にて空気を加熱して浴室２内に供給する温風Ａを生成させている。
それに対して、この第２実施形態では、図６に示すように、暖房用熱交換器３として、熱源機１から供給される温水にて空気を加熱して浴室２内に供給する温風Ａを生成させる第１暖房用熱交換器３ａと、熱源機１から供給される温水にて水を加熱して浴室２内に噴出させる温水ミスト用の温水を生成させる第２暖房用熱交換器３ｂとの２つの暖房用熱交換器を備えている。これにより、浴室２内に温風Ａを通風させて浴室暖房を行うだけでなく、浴室２の天井側に設置されたミストノズル１１から浴室２内に温水ミストを噴出させてミスト浴を行うこともできる。
【００４３】
第１暖房用熱交換器３ａと第２暖房用熱交換器３ｂとは、並列状態で備えられており、第１暖房用熱交換器３ａ側の流路部位には第３開閉弁Ｋ３が備えられ、第２暖房用熱交換器３ｂ側の流路部位には第４開閉弁Ｋ４が備えられている。運転制御装置５は、第３開閉弁Ｋ３及び第４開閉弁Ｋ４の開閉動作を制御することで、熱源機１からの温水を第１暖房用熱交換器３ａと第２暖房用熱交換器３ｂとに各別に供給できるようになっている。運転制御装置５は、浴室暖房運転を行う場合には第３開閉弁Ｋ３を開弁させ、浴室２内に温水ミストを噴出させるミスト運転を行う場合には第４開閉弁Ｋ４を開弁させるようにしている。
【００４４】
そして、運転制御装置５は、湯張り・予熱運転を行う場合に、第３開閉弁Ｋ３及び第４開閉弁Ｋ４の両者を開弁させることで、熱源機１からの温水を第１暖房用熱交換器３ａ及び第２暖房用熱交換器３ｂに供給して、浴槽７の湯張りを行いながら、第１暖房用熱交換器３ａ及び第２暖房用熱交換器３ｂの両者を予熱することができる。したがって、例えば、冬季等であっても、使用者が入浴するときには、第１暖房用熱交換器３ａ及び第２暖房用熱交換器３ｂの両者が温められており、浴室暖房運転の当初から所望温度の温風Ａを通風させて温風吹き出しの立ち上がり性能の向上を図ることができるとともに、ミスト運転の当初から所望温度の温水ミストを噴出させてミスト浴の立ち上がり性能についても向上を図ることができる。
【００４５】
〔第３実施形態〕
上記第１及び第２実施形態では、給湯利用箇所８に給湯する場合に、１つの熱源機１にて温水を供給するようにしているが、例えば、図７に示すように、温水供給手段９にて給湯利用箇所８に供給する温水に追加させて、給湯利用箇所８に温水を供給自在な追加熱源機１２を備えることもできる。追加熱源機１２は、追加温水流路Ｐにて温水を供給自在に構成されており、第４流路部位Ｒ４において第２流路部位Ｒ２との接続箇所と第２混合弁Ｍ２との間の部位に、追加温水流路Ｐの下流側端部が接続されている。これにより、追加熱源機１２から供給される温水は、追加温水流路Ｐにより第４流路部位Ｒ４の温水に合流されており、その合流後の温水が第２混合弁Ｍ２により給湯用目標設定温度に調整されて給湯利用箇所８に供給されている。このように、追加熱源機１２を備えることで、温水供給手段９にて給湯利用箇所８に供給する温水に追加させて、給湯利用箇所８に温水を供給することができるので、給湯利用箇所８での給湯量を十分に確保することができる。
【００４６】
〔別実施形態〕
（１）上記第１〜第３実施形態では、第１開閉弁Ｋ１と第２開閉弁Ｋ２とを備え、切換手段１０が、第１開閉弁Ｋ１及び第２開閉弁Ｋ２の開閉状態を切り換えることで、温水供給状態と一部循環状態と全部循環状態とに切り換えている。第１開閉弁Ｋ１と第２開閉弁Ｋ２とに代えて、第２流路部位Ｒ２と第３流路部位Ｒ３との接続箇所に三方弁を備え、切換手段１０が、この三方弁の状態を切り換えることで、温水供給状態と一部循環状態と全部循環状態とに切り換えることができる。
【産業上の利用可能性】
【００４７】
本発明は、温水を供給自在な熱源機と、その熱源機から供給される温水にて浴室内に供給する暖房用流体を加熱させる暖房用熱交換器とを備え、使用者に対して煩わしい操作を求めることなく、温風吹き出しの立ち上がり性能やミスト浴の立ち上がり性能の向上を図り、使用者の体感や快適性を満足させることができる各種の浴室暖房システムに適応可能である。
【符号の説明】
【００４８】
１          熱源機
２          浴室
３          暖房用熱交換器
４          リモコン（湯張り指令手段）
５          運転制御装置（運転制御手段）
７          浴槽
８          給湯利用箇所
９          温水供給手段
１０        切換手段
１２        追加熱源機
【図１】
0005744592.tif 000002
【図２】
0005744592.tif 000003
【図３】
0005744592.tif 000004
【図４】
0005744592.tif 000005
【図５】
0005744592.tif 000006
【図６】
0005744592.tif 000007
【図７】
0005744592.tif 000008